(57)【要約】【課題】円周方向の重さの不釣合いを効率的に修正することができる転がり軸受用の保持器を提供することである。【解決手段】転がり軸受用の保持器１５は、転動体を収容する複数のポケット１６を有する環状の転がり軸受用の保持器１５である。保持器１５は、径方向に凹む穴２１と、穴２１に収容され、保持器１５の円周方向の重さの不釣合いを修正するための修正部材１７とを備える。こうすることにより、重さの異なる修正部材１７を付け替えて、円周方向の重さのバランスを調整することにより、円周方向の重さの不釣合いを修正することができる。また、保持器１５に銀メッキを施した後であっても、穴２１に修正部材１７を収容するのみでよい。その結果、円周方向の重さの不釣合いを効率的に修正することができる。【選択図】図１
2010090974.tif 000002
【特許請求の範囲】
【請求項１】
転動体を収容する複数のポケットを有する環状の転がり軸受用の保持器であって、
径方向に凹む穴と、
前記穴に収容され、前記保持器の円周方向の重さの不釣合いを修正するための修正部材とを備える、転がり軸受用の保持器。
【請求項２】
前記穴は、円周方向に複数設けられている、請求項１に記載の転がり軸受用の保持器。
【請求項３】
前記修正部材の径方向外側端面は、前記保持器の外径面より径方向外側に突出する形状である、請求項１または２に記載の転がり軸受用の保持器。
【請求項４】
前記穴を構成する壁面には、雌ネジが形成されており、
前記修正部材の周面には、雄ネジが形成されており、
前記修正部材は、前記雄ネジを前記雌ネジに螺合することによって、前記穴に収容される、請求項１〜３のいずれかに記載の転がり軸受用の保持器。
【請求項５】
前記修正部材は、径方向外側に設けられる第１の円柱部と、
前記第１の円柱部の径方向内側端部に設けられ、前記第１の円柱部より径の小さい第２の円柱部と、
前記第２の円柱部の径方向内側端部に設けられ、前記第２の円柱部より径の大きい抜け止め部とを含む、請求項１〜３のいずれかに記載の転がり軸受用の保持器。
【請求項６】
前記修正部材は、径方向外側から径方向内側に向かって、径が大きくなるテーパー状である、請求項１〜３のいずれかに記載の転がり軸受用の保持器。
【請求項７】
前記修正部材は、径方向外側に設けられる棒状部と、
前記棒状部の径方向内側端部に設けられ、前記棒状部より径の大きい頭部とを含む、請求項１〜３のいずれかに記載の転がり軸受用の保持器。
【請求項８】
前記修正部材は、自己潤滑性を有する部材から形成されている、請求項１〜７のいずれかに記載の転がり軸受用の保持器。
【請求項９】
前記自己潤滑性を有する部材は、潤滑油を保持した多孔質部材である、請求項８に記載の転がり軸受用の保持器。
【請求項１０】
内輪と、
外輪と、
前記内輪および前記外輪の間に配置される複数の転動体と、
請求項１〜９のいずれかに記載の転がり軸受用の保持器とを備える、転がり軸受。
【発明の詳細な説明】
【技術分野】
【０００１】
この発明は、転がり軸受用の保持器および転がり軸受に関し、特に、航空機用ジェットエンジンに用いられる転がり軸受用の保持器および転がり軸受に関するものである。
【背景技術】
【０００２】
航空機用ジェットエンジン等のガスタービンエンジンの主軸は、他の用途の軸と比較すると、軸方向に長い形状であって、タービンや圧縮機等の複数の大型の部材が取り付けられている。そして、タービンの回転に伴い高速で回転する。
【０００３】
このような主軸に用いられる転がり軸受としては、例えば、３点接触玉軸受が挙げられる。３点接触玉軸受は、例えば、特開平９−１３３１３０号公報（特許文献１）に開示されている。
【０００４】
特許文献１に開示の３点接触玉軸受は、２つに分割された内輪と、外輪と、玉と、保持器とを備える。そして、玉等の表面に、有機金属化合物等の被膜を形成することにより、耐摩耗性に優れた軸受を提供することとしている。
【特許文献１】特開平９−１３３１３０号公報
【発明の開示】
【発明が解決しようとする課題】
【０００５】
軸受の構成要素である保持器には、製造時の誤差等によって、円周方向の重さの不釣合いを生じる場合がある。具体的には、保持器の円周方向の所定の部分が他の部分と比べて相対的に重くなり、保持器の重心が回転中心からずれることによって、不釣合いを生じる場合がある。
【０００６】
また、航空機用ジェットエンジン等のガスタービンエンジンの主軸に用いられる軸受は、主軸の回転に伴い、高速で回転する。したがって、保持器には、大きな遠心力が生じる。この場合、他の部分と比べて相対的に重い部分には、さらに大きな遠心力が生じるため、軸受の正常な回転を阻害する虞がある。
【０００７】
また、軸受は、高速で回転することから、潤滑性能を向上させることが要求される。したがって、保持器には、自己潤滑性を有する銀でメッキを施すことが一般的である。この場合、銀メッキを施した後でも、円周方向の重さの不釣合いを修正できることが望ましい。
【０００８】
この発明の目的は、円周方向の重さの不釣合いを効率的に修正することができる転がり軸受用の保持器を提供することである。
【０００９】
この発明の他の目的は、円周方向の重さの不釣合いを効率的に修正することができる転がり軸受を提供することである。
【課題を解決するための手段】
【００１０】
この発明に係る転がり軸受用の保持器は、転動体を収容する複数のポケットを有する環状の転がり軸受用の保持器である。そして、径方向に凹む穴と、穴に収容され、保持器の円周方向の重さの不釣合いを修正するための修正部材とを備える。
【００１１】
このように、保持器に径方向の穴を設け、その穴に円周方向の重さの不釣合いを修正するための修正部材を収容する。これにより、重さの異なる修正部材を付け替えて、円周方向の重さのバランスを調整することにより、円周方向の重さの不釣合いを修正することができる。すなわち、不釣合いに適合する重さの修正部材を選択して付け替えるのみでよい。また、保持器に銀メッキを施した後であっても、穴に修正部材を収容するのみでよい。その結果、円周方向の重さの不釣合いを効率的に修正することができる。
【００１２】
好ましくは、穴は、円周方向に複数設けられている。こうすることにより、適切に不釣合いを修正することができる。
【００１３】
さらに好ましくは、修正部材の径方向外側端面は、保持器の外径面より径方向外側に突出する形状である。ここで、保持器が外径案内で用いられる場合、外輪との接触を避けるために、修正部材の径方向外側端面を保持器の外径面より径方向外側に突出しないように、修正部材を穴に収容して、円周方向の重さのバランスを調整することも可能である。しかし、静止状態等において、予めバランスを調整した場合であっても、実稼動状態においては、円周方向の重さのバランスが崩れる虞もある。このような場合に、上記構成とした保持器、すなわち、修正部材の径方向外側端面を保持器の外径面より径方向外側に突出した形状とすれば、円周方向の相対的に重い箇所の穴に収容された修正部材のうちの径方向外側に突出した部分が、外輪の内径面と接触し、摩耗することになる。この摩耗により、円周方向の相対的に重い箇所を軽くすることができる。したがって、実稼動状態における円周方向の重さの不釣合いを効率的に修正することができる。
【００１４】
さらに好ましくは、穴を構成する壁面には、雌ネジが形成されており、修正部材の周面には、雄ネジが形成されており、修正部材は、雄ネジを雌ネジに螺合することによって、穴に収容される。こうすることにより、修正部材は、穴に螺合固定されるため、径方向の移動を適切に規制することができる。
【００１５】
さらに好ましくは、修正部材は、径方向外側に設けられる第１の円柱部と、第１の円柱部の径方向内側端部に設けられ、第１の円柱部より径の小さい第２の円柱部と、第２の円柱部の径方向内側端部に設けられ、第２の円柱部より径の大きい抜け止め部とを含む。こうすることにより、第２の円柱部と抜け止め部との段差によって、抜け止め部が保持器に引っ掛かり、保持器が回転した場合の遠心力によって、修正部材が径方向外側へ移動するのを適切に規制することができる。また、第１の円柱部と第２の円柱部との段差によって、第１の円柱部が保持器に引っ掛かり、修正部材が径方向内側へ移動するのを適切に規制することができる。
【００１６】
さらに好ましくは、修正部材は、径方向外側から径方向内側に向かって、径が大きくなるテーパー状である。こうすることにより、簡易な形状で、径方向の移動を適切に規制することができる。
【００１７】
さらに好ましくは、修正部材は、径方向外側に設けられる棒状部と、棒状部の径方向内側端部に設けられ、棒状部より径の大きい頭部とを含む。こうすることにより、棒状部と頭部との段差によって、頭部が保持器に引っ掛かる。したがって、保持器が回転した場合の遠心力によって、修正部材が径方向に移動するのを適切に規制することができる。
【００１８】
さらに好ましくは、修正部材は、自己潤滑性を有する部材から形成されている。こうすることにより、高速回転に伴う焼き付き等を適切に防止することができる。
【００１９】
さらに好ましくは、自己潤滑性を有する部材は、潤滑油を保持した多孔質部材である。こうすることにより、保持した潤滑油が滲み出して、長期間に亘って、高速回転に伴う焼き付き等を適切に防止することができる。
【００２０】
この発明の他の局面においては、転がり軸受は、内輪と、外輪と、内輪および外輪の間に配置される複数の転動体と、上記のいずれかに記載の転がり軸受用の保持器とを備える。このような転がり軸受は、上記した保持器を備えるため、円周方向の重さの不釣合いを効率的に修正することができる。
【発明の効果】
【００２１】
この発明に係る転がり軸受用の保持器は、保持器に径方向の穴を設け、その穴に円周方向の重さの不釣合いを修正するための修正部材を収容する。これにより、重さの異なる修正部材を付け替えて、円周方向の重さのバランスを調整することにより、円周方向の重さの不釣合いを修正することができる。すなわち、不釣合いに適合する重さの修正部材を選択して付け替えるのみでよい。また、保持器に銀メッキを施した後であっても、穴に修正部材を収容するのみでよい。その結果、円周方向の重さの不釣合いを効率的に修正することができる。
【００２２】
また、この発明に係る転がり軸受は、上記した保持器を備えるため、円周方向の重さの不釣合いを効率的に修正することができる。
【発明を実施するための最良の形態】
【００２３】
以下、この発明の実施の形態を図面を参照して説明する。図１は、この発明の一実施形態に係る転がり軸受用の保持器１５の一例を示す斜視図である。図２は、この発明の一実施形態に係る転がり軸受用の保持器１５を備える転がり軸受として、３点接触玉軸受１１の一例を示す断面図である。３点接触玉軸受１１は、ヘリコプター用エンジンの主軸や、航空機用ジェットエンジンの主軸等に複数取り付けられ、主軸を回転自在に支持する。
【００２４】
まず、図２を参照して、３点接触玉軸受１１は、軸方向に垂直な方向に２つに分割されており、主軸１０に嵌合され、主軸１０と共に高速回転する内輪１２ａ，１２ｂと、ハウジング（図示せず）に固定される外輪１３と、内輪１２ａ，１２ｂおよび外輪１３の間に配置される複数の転動体としての玉１４と、玉１４の周方向間隔を一定に保持する環状の保持器１５とを備える。
【００２５】
図３は、図１に示す保持器１５を径方向外側から見た図である。図４は、図３に示す保持器１５を図３中の矢印ＩＶ−ＩＶで切断した場合の断面図である。図１〜図４を参照して、保持器１５は、外径案内で用いられ、玉１４を収容する複数のポケット１６を有する。
【００２６】
また、保持器１５は、穴２１を備える。穴２１は、断面が円形状であって、径方向に凹むように設けられている。この実施形態においては、穴２１は、保持器１５を径方向に貫通するように設けられている。穴２１は、ポケット１６とポケット１６との間の部分であって、軸方向一方側端部と、軸方向他方側端部とに設けられている。また、穴２１は、円周方向に等間隔に複数設けられている。また、穴２１を構成する壁面には、雌ネジが形成されている。
【００２７】
さらに、保持器１５は、保持器１５の円周方向の重さの不釣合いを修正するための修正部材１７を備える。修正部材１７の周面には、雄ねじが形成されている。また、修正部材１７の径方向外側端面１７ａは、保持器１５の外径面１５ａより径方向外側に突出するように設けられている。なお、図においては、理解を容易にする観点から、突出する長さを誇張して示しており、実際の突出する長さは、僅かである。
【００２８】
修正部材１７は、穴２１に螺合して収容されている。すなわち、修正部材１７は、雄ネジを雌ネジに螺合することにより、穴２１に収容されている。そして、穴２１に修正部材１７を取り付けたり、穴２１から修正部材１７を取り外したりする。
【００２９】
修正部材１７は、保持器１５の円周方向の重さの不釣合いを修正するためのものである。具体的には、保持器１５の円周方向の所定の部分が他の部分と比べて相対的に重くなり、保持器１５の重心が回転中心からずれることによって生じる不釣合いを修正するためのものである。すなわち、修正部材１７は、保持器１５の重心を回転中心に一致させるように修正するための錘である。
【００３０】
ここで、保持器１５の円周方向の重さの不釣合いを修正する方法の一例について説明する。まず、重さの異なる複数の修正部材１７を準備する。例えば、比重の異なる材料を用いて修正部材１７を形成したり、修正部材１７の内部に各々大きさの異なる空間を設けたり、修正部材１７の一部を削ったりすることにより、重さの異なる複数の修正部材１７を準備する。次に、修正部材１７を全ての穴２１に収容する。そして、保持器１５を回転させて、偏心する場合には、重い箇所を軽い修正部材１７に付け替える。そして、再度保持器１５を回転させて、偏心しないようにバランスを調整する。このようにして、保持器１５の円周方向の重さの不釣合いを修正する。
【００３１】
このように、保持器１５に径方向の穴２１を設け、その穴２１に円周方向の重さの不釣合いを修正するための修正部材１７を収容する。これにより、重さの異なる修正部材１７を付け替えて、円周方向の重さのバランスを調整することにより、円周方向の重さの不釣合いを修正することができる。すなわち、不釣合いに適合する重さの修正部材１７を選択して付け替えるのみでよい。また、保持器１５に銀メッキを施した後であっても、穴２１に修正部材１７を収容するのみでよい。その結果、円周方向の重さの不釣合いを効率的に修正することができる。
【００３２】
また、修正部材１７の径方向外側端面１７ａは、保持器１５の外径面１５ａより径方向外側に突出するように設けられている。ここで、保持器１５が外径案内で用いられる場合、外輪１３との接触を避けるために、修正部材１７の径方向外側端面１７ａを保持器１５の外径面１５ａより径方向外側に突出しないように、修正部材１７を穴２１に収容して、円周方向の重さのバランスを調整することも可能である。しかし、予めバランスを調整した場合であっても、実稼動状態においては、円周方向の重さのバランスが崩れる虞もある。このような場合に、上記構成とした保持器１５、すなわち、修正部材１７の径方向外側端面１７ａを保持器１５の外径面１５ａより径方向外側に突出した形状とすれば、円周方向の相対的に重い箇所の穴２１に収容された修正部材１７のうちの径方向外側に突出した部分が、外輪１３の内径面と接触し、摩耗することになる。この摩耗により、円周方向の相対的に重い箇所を軽くすることができる。したがって、実稼動状態における円周方向の重さの不釣合いを効率的に修正することができる。
【００３３】
また、修正部材１７は、穴２１に螺合固定されるため、径方向の移動を適切に規制することができる。
【００３４】
また、このような転がり軸受としての３点接触玉軸受１１は、上記した保持器１５を備えるため、円周方向の重さの不釣合いを効率的に修正することができる。
【００３５】
次に、この発明の他の実施形態について説明する。図５は、図４の変形例であって、他の実施形態に係る保持器２５の断面図である。
【００３６】
図５を参照して、保持器２５は、穴２６を備える。穴２６は、断面が円形状であって、保持器２５を径方向に貫通するように設けられている。また、穴２６は、径方向外側に位置する大径部２６ａと、径方向内側に位置し、大径部２６ａより径の小さい小径部２６ｂとを含む形状である。また、穴２６は、後述する修正部材２７を受け入れる形状である。
【００３７】
保持器２５は、修正部材２７を備える。修正部材２７は、上記したように、保持器２５の円周方向の重さの不釣合いを修正するためのものである。図６は、修正部材２７を拡大した拡大図である。図７は、修正部材２７を図６中の矢印ＶＩＩの方向から見た図である。図５〜図７を参照して、修正部材２７は、穴２６を構成する壁面に沿う外形形状である。具体的には、大径部２６ａを構成する外壁に沿う外形形状の第１の円柱部２８と、小径部２６ｂを構成する外壁に沿う外形形状の第２の円柱部２９と、抜け止め部３０とを含む。
【００３８】
第１の円柱部２８は、径方向外側に設けられている。第１の円柱部２８は、径方向に真っ直ぐに延びるように設けられている。そして、径方向外側端面２８ａが、保持器２５の外径面２５ａより径方向外側に突出するように設けられている。
【００３９】
第２の円柱部２９は、第１の円柱部２８の径方向内側端部に設けられている。また、第２の円柱部２９の径は、第１の円柱部２８の径より小さく設けられている。
【００４０】
抜け止め部３０は、第２の円柱部２９の径方向内側端部に設けられている。そして、抜け止め部３０の径は、第２の円柱部２９の径より大きく設けられている。また、抜け止め部３０は、保持器２５の内径面２５ｂより径方向内側に突出するように設けられている。
【００４１】
こうすることにより、抜け止め部３０は、保持器２５の内径面２５ｂに引っ掛かる。したがって、保持器２５が回転した場合の遠心力によって、修正部材２７が径方向外側へ移動するのを適切に規制することができる。また、第１の円柱部２８と第２の円柱部２９との段差によって、第１の円柱部２８が保持器２５に引っ掛かり、修正部材２７が径方向内側へ移動するのを適切に規制することができる。
【００４２】
なお、修正部材２７を保持器２５に取り付ける方法としては、例えば、抜け止め部３０を弾性変形可能な部材で形成することによって、径方向外側から穴２６に押し入れることによって取り付ける。
【００４３】
次に、この発明のさらに他の実施形態について説明する。図８は、図４の変形例であって、さらに他の実施形態に係る保持器３５の断面図である。
【００４４】
図８を参照して、保持器３５は、穴３６を備える。穴３６は、断面が円形状であって、保持器３５を径方向に貫通するように設けられている。また、穴３６は、径方向外側から径方向内側に向かって径が大きくなるテーパー状である。また、穴３６は、後述する修正部材３７を受け入れる形状である。
【００４５】
保持器３５は、修正部材３７を備える。修正部材３７は、上記したように、保持器３５の円周方向の重さの不釣合いを修正するためのものである。図９は、修正部材３７を拡大した拡大図である。図１０は、修正部材３７を図９中の矢印Ｘの方向から見た図である。図８〜図１０を参照して、修正部材３７は、穴３６を構成する外壁に沿う外形形状である。具体的には、テーパー状であって、径方向外側から径方向内側に向かって径が大きくなっている。また、径方向外側端面３７ａが、保持器３５の外径面３５ａより径方向外側に突出するように設けられている。また、径方向内側端面３７ｂは、保持器３５の内径面３５ｂと面一になるように設けられている。
【００４６】
こうすることにより、簡易な形状で、径方向の移動を適切に規制することができる。
【００４７】
次に、この発明のさらに他の実施形態について説明する。図１１は、図４の変形例であって、さらに他の実施形態に係る保持器４０の断面図である。
【００４８】
図１１を参照して、保持器４０は、穴４１を備える。穴４１は、断面が円形状であって、保持器４０を径方向に貫通するように設けられている。また、穴４１は、径方向外側に位置する小径部４１ａと、径方向内側に位置し、小径部４１ａより径の大きい大径部４１ｂとを含む形状である。また、穴４１は、後述する修正部材４２を受け入れる形状である。
【００４９】
保持器４０は、修正部材４２を備える。修正部材４２は、上記したように、保持器４０の円周方向の重さの不釣合いを修正するためのものである。図１２は、修正部材４２を拡大した拡大図である。図１３は、修正部材４２を図１２中の矢印ＸＩＩＩの方向から見た図である。図１１〜図１３を参照して、修正部材４２は、穴４１を構成する壁面に沿う外形形状である。具体的には、小径部４１ａを構成する外壁に沿う外形形状の棒状部４３と、大径部４１ｂを構成する外壁に沿う外形形状の頭部４４とを含む。
【００５０】
棒状部４３は、径方向外側に設けられている。棒状部４３は、径方向に真っ直ぐに延びるように設けられている。また、棒状部４３は、径方向外側端面４３ａが、保持器４０の外径面４０ａより径方向外側に突出するように設けられている。
【００５１】
頭部４４は、棒状部４３の径方向内側端部に設けられている。また、頭部４４の径は、棒状部４３の径より大きく設けられている。また、頭部４４は、径方向内側端面４４ｂが、保持器４０の内径面４０ｂと面一になるように設けられている。
【００５２】
こうすることにより、棒状部４３と頭部４４との段差によって、頭部４４が保持器４０に引っ掛かる。したがって、保持器４０が回転した場合の遠心力によって、修正部材４２が径方向に移動するのを適切に規制することができる。
【００５３】
なお、上記した全ての実施形態において、修正部材は、自己潤滑性を有する部材から形成されていてもよい。自己潤滑性を有する部材とは、例えば、銀や、ポリテトラフルオロエチレン（ＰＴＦＥ）等が挙げられる。こうすることにより、高速回転に伴う焼き付き等を適切に防止することができる。
【００５４】
また、自己潤滑性を有する部材として、潤滑油を保持した多孔質部材が挙げられる。多孔質部材としては、例えば、ＪＩＳ  Ｚ２５５０  Ｐ４０３４等の焼結合金や、ベークライトや、コットンフェノール樹脂等が挙げられる。こうすることにより、保持した潤滑油が滲み出して、長期間に亘って、高速回転に伴う焼き付き等を適切に防止することができる。
【００５５】
また、修正部材は、例えば、ポリルーブ（登録商標）等のプラスチックグリースから形成されていてもよい。こうすることにより、軸受回転時の発熱等によって、潤滑油が滲み出して、長期間に亘って、高速回転に伴う焼き付き等を適切に防止することができる。
【００５６】
また、修正部材は、線膨張係数が、保持器を形成する部材の線膨張係数より大きい部材から形成されていてもよい。
【００５７】
なお、上記の実施の形態においては、穴は、断面が円形状であって、修正部材は、穴を構成する壁面に沿う外形形状である例について説明したが、これに限ることなく、例えば、穴の断面が円周方向に延びる形状であって、修正部材においても、穴に収容可能な円周方向に延びる形状であってもよい。また、穴の断面が軸方向に延びる形状であって、修正部材においても、穴に収容可能な軸方向に延びる形状であってもよい。この場合、ポケットとポケットの間の軸方向中央部に設けられてもよい。また、穴の断面が四角形状であってもよいし、その他の形状であってもよい。この場合、修正部材においても、四角柱等の穴を構成する外壁に沿う外形形状である。
【００５８】
また、上記の実施の形態においては、修正部材は、全ての穴に収容する例について説明したが、これに限ることなく、バランスを調整可能なように、少なくとも一箇所に収容されていればよい。
【００５９】
また、上記の実施の形態においては、穴は、保持器を径方向に貫通するように設けられている例について説明したが、これに限ることなく、保持器の外径面または／および内径面から径方向に凹む凹部であって、貫通しないような形状であってもよい。
【００６０】
また、上記の実施の形態においては、修正部材の径方向外側端面は、保持器の外径面より径方向外側に突出する形状である例について説明したが、これに限ることなく、上記したように、外輪との接触を避けたい場合には、修正部材の径方向外側端面を保持器の外径面より径方向内側に凹ませた形状であってもよいし、また、修正部材の径方向外側端面を保持器の外径面と面一にしてもよい。
【００６１】
また、上記の実施の形態においては、修正部材は、保持器の円周方向の重さの不釣合いを修正する例について説明したが、これに限ることなく、例えば、保持器の軸方向の重さの不釣合いを修正してもよい。
【００６２】
また、上記の実施の形態においては、保持器を３点接触玉軸受に適用する例について説明したが、これに限ることなく、保持器を備える他の転がり軸受にも適用することができる。
【００６３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６４】
この発明は、航空機用ジェットエンジンの主軸に用いられる転がり軸受用の保持器および転がり軸受に有効に利用される。
【図面の簡単な説明】
【００６５】
【図１】この発明の一実施形態に係る転がり軸受用の保持器の一例を示す斜視図である。
【図２】この発明の一実施形態に係る転がり軸受用の保持器を備える転がり軸受として、３点接触玉軸受の一例を示す断面図である。
【図３】図１に示す保持器を径方向外側から見た図である。
【図４】図３に示す保持器を図３中の矢印ＩＶ−ＩＶで切断した場合の断面図である。
【図５】図４の変形例であって、他の実施形態に係る保持器の断面図である。
【図６】修正部材を拡大した拡大図である。
【図７】修正部材を図６中の矢印ＶＩＩの方向から見た図である。
【図８】図４の変形例であって、さらに他の実施形態に係る保持器の断面図である。
【図９】修正部材を拡大した拡大図である。
【図１０】修正部材を図９中の矢印Ｘの方向から見た図である。
【図１１】図４の変形例であって、さらに他の実施形態に係る保持器の断面図である。
【図１２】修正部材を拡大した拡大図である。
【図１３】修正部材を図１２中の矢印ＸＩＩＩの方向から見た図である。
【符号の説明】
【００６６】
１０  主軸、１１  ３点接触玉軸受、１２ａ，１２ｂ  内輪、１３  外輪、１４  玉、１５，２５，３５，４０  保持器、１５ａ，２５ａ，３５ａ，４０ａ  外径面、２５ｂ，３５ｂ，４０ｂ  内径面、１６  ポケット、１７，２７，３７，４２  修正部材、１７ａ，２８ａ，３７ａ，４３ａ  径方向外側端面、３７ｂ，４４ｂ  径方向内側端面、２１，２６，３６，４１  穴、２６ｂ，４１ａ  小径部、２６ａ，４１ｂ  大径部、２８  第１の円柱部、２９  第２の円柱部、３０  抜け止め部、４３  棒状部、４４  頭部。
【図１】
2010090974.tif 000003
【図２】
2010090974.tif 000004
【図３】
2010090974.tif 000005
【図４】
2010090974.tif 000006
【図５】
2010090974.tif 000007
【図６】
2010090974.tif 000008
【図７】
2010090974.tif 000009
【図８】
2010090974.tif 000010
【図９】
2010090974.tif 000011
【図１０】
2010090974.tif 000012
【図１１】
2010090974.tif 000013
【図１２】
2010090974.tif 000014
【図１３】
2010090974.tif 000015